(57)【特許請求の範囲】
【請求項１】
天井面に埋め込み設置可能な形状で本体フレームとフレームフランジ部を有した換気扇の本体と、この本体に分離可能に結合される垂直面および略水平面に形成されたアタプタフランジ部を有したダクト接続用のアタプタ部と、前記本体の本体フレームに設けた第１の結合孔および、前記フレームフランジ部に設けた第２の係合孔と、前記アダプタ部の第２の垂直面に設けた第１の爪および前記アダプタフランジ部に設けた第２の爪とを備え、前記本体に設けた第１の係合孔および、第２の係合孔を、前記アダプタ部に設けた第１の爪および第２の爪に係合して前記アダプタ部に本体を結合する構成としたものであって、前記第２の爪に、樹脂製のカバーを設けた換気扇。
【請求項２】
第１の爪に、根元部分から上方に向け傾斜した傾斜部を設けた請求項１記載の換気扇。
【請求項３】
アダプタ部の垂直面に、天井材取付枠に当接する突起を複数設けた請求項１または２記載の換気扇。
【請求項４】
アダプタ部に設けられる第２の爪に、垂直面側に向かい下降する形状で第２の係合孔に係合したときに、本体を前記アダプタ側に案内する傾斜面を設けた請求項１〜３のいずれかに記載の換気扇。
【発明の詳細な説明】
【技術分野】
【０００１】
本発明は、天井裏に本体を配置し、ダクトと接続して換気を行なう換気扇に関する。
【背景技術】
【０００２】
従来、この種の換気扇として、ダクト用換気扇が知られている（例えば、特許文献１参照）。
【０００３】
以下、そのダクト用換気扇について図７および図８を参照しながら説明する。
【０００４】
図に示すように、ダクト用換気扇本体１０１の側面１０２に台形状の切欠穴１０３とダボ穴１０４を設け、上方に本体上部フランジ部１０５を設け、下方には本体取付フランジ１０６を設け、ダクト側プレート１０７の上部にはプレート上部フランジ１０８および係合片１０９を設け、垂直面には折曲部１１０および、切り起した係止片１１１とダボ１１２を設け構成している。
【特許文献１】実公平５−４１３１２号公報（第２頁〜第３頁、第１図、第３図）
【発明の開示】
【発明が解決しようとする課題】
【０００５】
このような従来のダクト用換気扇では、ダクト側プレート１０７の係止片１１１とダクト用換気扇本体１０１の切欠穴１０３を合わせることは、施工者の能力によるところが大きく、もし、そのままダクト用換気扇本体１０１を押し上げ、ねじ止めするとタクト用本体１０１とダクト側プレート１０７が係止できないばかりか空気洩れを生じ、換気能力が著しく損われ、また、ユーザーにとって施工の間違いに気付くことがないという課題があり、ダクト側プレート１０７にダクト用換気扇本体１０１が施工者の能力によらないで確実に正規位置に固定でき、また、ダクト用換気扇本体１０１の取付ねじを全て外したときに、ダクト用換気扇本体１０１が自然落下するという課題があり、取り付けねじを外してもダクト用換気扇本体１０１が自然落下しないようにすることが要求されている。
【０００６】
本発明は、このような従来の課題を解決するものであり、施工者の能力によらないで、アダプタ部に本体フレームを確実に正規位置に固定でき、本体を取り付けるねじを外しても、本体の自然落下を防止できる施工性が良く安全性の高い換気扇を提供することを目的としている。
【課題を解決するための手段】
【０００７】
本発明の換気扇は、上記目的を達成するために、天井面に埋め込み設置可能な形状で本体フレームとフレームフランジ部を有した換気扇の本体と、この本体に分離可能に結合される垂直面および略水平面に形成されたアダプタフランジ部を有したダクト接続用のアダプタ部と、前記本体の本体フレームに設けた第１の係合孔および、前記フレームフランジ部に設けた第２の係合孔と、前記アダプタ部の垂直面に設けた第１の爪および前記アダプタフランジ部に設けた第２の爪とを備え、前記本体に設けた第１の係合孔および、第２の係合孔を、前記アダプタ部に設けた第１の爪および第２の爪に係合して前記アダプタ部に本体を結合するものである。
【０００８】
この手段により、アダプタ部と本体フレームの合わせ面が施工者の能力によらないで、確実に正規位置に固定でき、また、フレームフランジ部に取り付けたねじを全て外しても、アダプタ部に本体フレームが係止しているので本体が落下することがない施工性が良く安全性の高い換気扇が得られる。
【０００９】
また、他の手段は、第１の爪および第２の爪を、アダプタ部に一体に形成したものである。
【００１０】
この手段により、安価で精度の良い換気扇が得られる。
【００１１】
また、他の手段は、第１の爪に、可撓性を有するたわみ部を設けたものである。
【００１２】
この手段により、施工性が向上する換気扇が得られる。
【００１３】
また、他の手段は、第２の爪に、樹脂製のカバーを設けたものである。
【００１４】
この手段により、安全な換気扇が得られる。
【００１５】
また、他の手段は、第１の爪に、根元部分から上方に向け傾斜した傾斜部を設けたものである。
【００１６】
この手段により、施工が容易で安全な換気扇が得られる。
【００１７】
また、他の手段は、アダプタ部の垂直面に、天井材取付枠に当椄する突起を複数設けたものである。
【００１８】
この手段により、施工性が向上する換気扇が得られる。
【００１９】
また、他の手段は、アダプタ部に設けられる第２の爪に、垂直面側に向かい下降する形状で第２の係合孔に係合したときに、本体を前記アダプタ側に案内する傾斜面を設けたものである。
【００２０】
この手段により、施工性が向上する換気扇が得られる。
【発明の効果】
【００２１】
本発明によれば、施工性が良く安全性が高いという効果のある換気扇を提供できる。
【００２２】
また、安価で精度の良いという効果のある換気扇を提供できる。
【００２３】
また、施工性が向上するという効果のある換気扇を提供できる。
【００２４】
また、安全性が高いという効果のある換気扇を提供できる。
【発明を実施するための最良の形態】
【００２８】
本発明の請求項１記載の換気扇は、天井面に埋め込み設置可能な形状で本体フレームとフレームフランジ部を有した換気扇の本体と、この本体に分離可能に結合される垂直面および略水平面に形成されたアタプタフランジ部を有したダクト接続用のアタプタ部と、前記本体の本体フレームに設けた第１の結合孔および、前記フレームフランジ部に設けた第２の係合孔と、前記アダプタ部の第２の垂直面に設けた第１の爪および前記アダプタフランジ部に設けた第２の爪とを備え、前記本体に設けた第１の係合孔および、第２の係合孔を、前記アダプタ部に設けた第１の爪および第２の爪に係合して前記アダプタ部に本体を結合する構成としたものであって、前記第２の爪に、樹脂製のカバーを設けたものであり、第２の爪はアダプタフランジ部の面より下方に突出しているためにユーザーが掃除等をするときに、突出している第２の爪に直接触れることがカバーにより防止され、けがをするのが防止でき、安全性が高められるという作用を有する。
【００２９】
また、請求項２記載の換気扇は、第１の爪に、根元部分から上方に向け傾斜した傾斜部を設けたものであり、万一、本体がフレームフランジ部を介して固定している取り付けねじを全て外された状態でも本体フレームに設けた第１の係合孔に第１の爪の傾斜部が掛かり、本体の自然落下を防止できるとともに、本体を取り付けねじで取り付けるときの仮止機能としても働くこととなり施工が容易で安全性が高まるという作用を有する。
【００３０】
また、請求項３記載の換気扇は、アダプタ部の垂直面に、天井材取付枠に当椄する突起を複数設けたものであり、アダプタ部に設けた第１の爪を本体フレームの内側より外方に押して、アダプタ部から本体フレームを分離できるが、このとき、突起により天井取付枠とアダプタ部の間に第１の爪が外方に移動できるスペースが確保されるので施工性が向上するという作用を有する。
【００３１】
また、請求項４記載の換気扇は、アダプタ部に設けられる第２の爪に、垂直面側に向かい下降する形状で第２の係合孔に係合したときに、本体を前記アダプタ部側に案内する傾斜面を設けたものであり、本体が本体フレームに設けた第２の係合孔にアダプタ部に設けた第２の爪の傾斜面が係合されることにより、本体フレームはアダプタ部側に移動するように案内されることとなり、本体の取り付けの施工性が向上するという作用を有する。
【００３２】
以下、本発明の実施の形態について図面を参照しながら説明する。
【００３３】
（実施の形態１）
図１〜図４に示すように、天井面に埋め込み設置可能な形状で本体フレームとフレームフランジ部２を有し、内部に送風機３が設けられる換気扇の本体４と、本体４に分離可能に結合される垂直面５および水平面６により形成されたアダプタフランジ部７を有したダクト接続用のアダプタ部８と、本体４の本体フレーム１に設けた第１の係合孔９およびフレームフランジ部２に設けた第２の係合孔１０と、アダプタ部８の垂直面５に設けた第１の爪１１およびアダプタフランジ部７に設けた第２の爪１２とを備え、本体４に設けた第１の係合孔９および第２の係合孔１０を、アダプタ部８に設けた第１の爪１１および第２の爪に係合してアダプタ部８に本体４を結合するように設ける。
【００３４】
また、第１の爪１１に可撓性を有するたわみ部１３を設け、第１の爪１１および第２の爪１２をアダプタ部に一体に形成し、第２の爪１２には、第２の爪１２を覆う形状の樹脂製のカバー１４を設け、第１の爪１１に根元部分から上方に向け傾斜した傾斜部１５を設け構成する。
【００３５】
上記構成において、天井面に埋め込み設置可能な形状で本体フレーム１とフレームフランジ部２を有し、内部に送風機３が設けられる換気扇の本体４と、本体４と分離可能に結合される垂直面５および水平面６に形成されたアダプタフランジ部７を有したダクト接続用のアダプタ部８と、本体４の本体フレーム１に設けた第１の係合孔９およびフレームフランジ部２に設けた第２の係合孔１０とアダプタ部８の垂直面５に設けた第１の爪１１およびアダプタフランジ部７に設けた第２の爪１２とを備え、本体４に設けた第１の係合孔９をアダプタ部８に設けた第１の爪１１および、第２の爪１２に係合してアダプタ部８に本体４を結合することにより、アダプタ部８の下方に突設した第２の爪１２があるために正規位置に本体４側のフレームフランジ部２を挿入しないと、フレームフランジ部２の取付面が浮くこととなるが、正規位置にフレームフランジ部２の第２の係合孔１０を、アダプタ部８のアダプタフランジ部７に設けた第２の爪１２に合わせ挿入すると、アダプタ部８に設けた第１の爪１１が本体フレーム１に設けた第１の係合孔９に係合してアダプタ部８に本体が結合されることとなり、施工者の能力によらないで確実に本体４を正規位置に固定できるとともに、本体４の取り付けねじをすべて外した状態でも、本体４が自然落下することがなく安全性が確保できることとなる。
【００３６】
また、第１の爪１１および第２の爪１２をアダプタ部８に一体に形成したことにより、第１の爪１１と第２の爪１２の精度が維持しやすくなるとともに、第１の爪１１と第２の爪１２を形成するためのコストが安くなることとなる。
【００３７】
また、第１の爪１１に可撓性を有するたわみ部１３を設けたことにより、第１の爪１１が本体フレーム１の第１の係合孔９に係止するまで撓み、本体４の挿入力が軽減でき施工性が向上することとなる。
【００３８】
また、第２の爪１２に樹脂製のカバーを設けたことにより、第２の爪１２はアダプタフランジ部７の面より下方に突出しているためにユーザーが掃除等をするときに、突出している第２の爪１２に直接触れることが樹脂製のカバー１４により防止され、けがをするのが防止できる安全性が高まることとなる。
【００３９】
また、第１の爪１１に根元部分から上方に向け傾斜した傾斜部１５を設けたことにより、万一本体４がフレームフランジ部２を介して固定している取り付けねじを全て外された状態でも本体フレーム１に設けた第１の係合孔９に第１の爪１１の傾斜部１５が掛かり本体４の自然落下を防止できるとともに、本体４を取り付けねじで取り付けるときの仮止め機能としても働くこととなり、施工が容易で安全性が高まることとなる。
【００４０】
（実施の形態２）
図５および図６に示すように、アダプタ部８Ａの垂直面５Ａに天井取付枠１６に突設する突起１７を複数設け、アダプタ部８Ａに設けられる第２の爪１２Ａに、垂直面５Ａ側に向かい下降形状で第２の係合孔１０Ａに係合したときに本体４Ａをアダプタ部８Ａ側に案内する傾斜面１８を設け構成する。
【００４１】
上記構成において、アダプタ部８Ａの垂直面５Ａに天井取付枠１６に向かい突設する突起１７を複数設けたことにより、アダプタ部８Ａに設けた第１の爪１１を本体フレーム１の内側より外方に押してアダプタ部８Ａから本体フレーム１を分離できるが、このとき、突起１７により天井取付枠１６とアダプタ部８Ａの間に第１の爪１１が外方に移動できるスペースが確保されるので施工性が向上することとなる。
【００４２】
また、アダプタ部８Ａに設けられる第２の爪１２Ａに、垂直面５Ａ側に向かい下降する形状で第２の係合孔１０Ａに係合したときに、本体４Ａをアダプタ部８Ａ側に案内する傾斜面１８を設けたことにより、本体４Ａが本体フレーム１に設けた第２の係合孔１０Ａにアダプタ部８Ａに設けた第２の爪１２Ａの傾斜面１８が係合され、本体フレーム１はアダプタ部８Ａ側に移動するように案内されることとなり、本体４Ａの取り付けの施工性が向上することとなる。
【産業上の利用可能性】
【００４３】
本発明にかかる換気扇は、天井裏に配設する本体の施工性がよく落下防止機能をもたらす安全性の高い効果を奏し、アダプタ部を介してダクトと接続して換気を行なう空調機、送風機等にも適用できる。
【図面の簡単な説明】
【００４４】
【図１】本発明の実施の形態１の換気扇の本体とアダプタ部の分離状態を示す斜視図
【図２】同換気扇のアダプタ部に本体を結合した状態を示す側構成図
【図３】同換気扇のアダプタ部に設けた第２の爪に樹脂製のカバーを設ける状態を示す斜視図
【図４】同換気扇の落下防止機能を示す側構成図
【図５】本発明の実施の形態２の換気扇の本体とアダプタ部の分離状態を示す斜視図
【図６】同換気扇のアダプタ部に本体を結合した状態を示す側構成図
【図７】従来のダクト用換気扇の要部斜視図
【図８】同ダクト用換気扇の取付状態を示す側構成図
【符号の説明】
【００４５】
１      本体フレーム
２      フレームフランジ部
４      本体
４Ａ    本体
５      垂直面
５Ａ    垂直面
６      水平面
７      アダプタフランジ部
８      アダプタ部
８Ａ    アダプタ部
９      第１の係合孔
１０    第２の係合孔
１０Ａ  第２の係合孔
１１    第１の爪
１２    第２の爪
１２Ａ  第２の爪
１３    たわみ部
１４    樹脂製のカバー
１５    傾斜部
１６    天井取付枠
１７    突起
１８    傾斜面
【図１】
0005125554.tif 000002
【図２】
0005125554.tif 000003
【図３】
0005125554.tif 000004
【図４】
0005125554.tif 000005
【図５】
0005125554.tif 000006
【図６】
0005125554.tif 000007
【図７】
0005125554.tif 000008
【図８】
0005125554.tif 000009